(57)【要約】【課題】外部からの光の侵入を可及的に防止するとともに、煙をより効率的に侵入可能とすることのできる煙感知器を提供する。【解決手段】外光の入射を防止すると共に外部からの煙の侵入を許容するラビリンス壁内に光学式の煙センサを配置した煙感知器において、前記ラビリンス壁は、複数の周壁構成体を所定間隔をあけて所定の円周内に円環状に並設して構成し、前記、各周壁構成体は、前記所定の円周に沿って配置した一辺と、その先端側が前記所定の円周内方に向かうべく配置した他辺とにより横断面視略山形とした第１遮蔽壁構成片と、当該第１遮蔽壁構成片の頂部内側から伸延し、その先端部を隣接する第１遮蔽壁構成片の頂部へ向けて形成した折り返し部を備える第２遮蔽壁構成片とから形成し、隣接する前記第１遮蔽壁構成片間に煙導入口を形成した。【選択図】図３
2010044535.tif 000002
【特許請求の範囲】
【請求項１】
外光の入射を防止すると共に外部からの煙の侵入を許容するラビリンス壁（Ｂ）内に光学式の煙センサ（Ａ）を配置した煙感知器（Ｓ）において、
前記ラビリンス壁（Ｂ）は、複数の周壁構成体（１０）を所定間隔をあけて所定の円周（Ｃ）内に円環状に並設して構成し、
前記、各周壁構成体（１０）は、前記所定の円周（Ｃ）に沿って配置した一辺（１１ａ）と、その先端側が前記所定の円周（Ｃ）内方に向かうべく配置した他辺（１１ｂ）とにより横断面視略山形とした第１遮蔽壁構成片（１１）と、
当該第１遮蔽壁構成片（１１）の頂部内側から伸延する長辺形成片（１２ｂ）と、同長辺形成片（１２ｂ）の先端部を第１遮蔽壁構成片（１１）の一辺（１１ａ）と同じ側に折曲して形成した折り返し部（１２ａ）と、を備える第２遮蔽壁構成片（１２）とから形成し、
隣接する前記第１遮蔽壁構成片（１１）間に煙導入口（１３）を形成したことを特徴とする煙感知器。
【請求項２】
前記他片（１１ｂ）を、隣接する一方の周壁構成体（１０）の長辺形成片（１２ｂ）の長手方向中途部に指向させると共に、
前記折り返し部（１２ａ）を、隣接する他方の周壁構成体（１０）の頂部に指向させたことを特徴とする請求項１に記載の煙感知器。
【請求項３】
前記煙センサは、水平方向に対して下方斜め方向に光を照射する発光部（２０）と、この発光部の照射方向とその受光方向が交差する受光部（２１）とを有し、
前記ラビリンス壁（Ｂ）は、前記煙センサ（Ａ）を覆うように取り付けられたキャップ部（３０）の側周（３１：周壁構成体の外周壁）を形成することを特徴とする請求項１または請求項２に記載の煙感知器。
【請求項４】
前記キャップ部（３０）を略円筒状に形成し、
前記第２遮蔽壁構成片（１２）と、隣接する前記周壁構成体（１０）の第１遮蔽壁構成片（１１）とを、前記キャップ部（３０）の径方向に所定間隔をあけて重合するように配置して、隣り合う前記第１遮蔽壁構成片（１１）間から前記キャップ部（３０）内までの間に、横断面視略レ字状の第２遮蔽壁構成片（１２）の前記折り返し部（１２ａ）により屈曲させられた屈曲煙案内路（４０）を形成したことを特徴とする請求項１〜３いずれか１項に記載の煙感知器。
【発明の詳細な説明】
【技術分野】
【０００１】
この発明は、光電式のセンサを備えた煙感知器に関するものである。
【背景技術】
【０００２】
従来、天井などに設置される煙感知器として、水平方向に対して斜め方向に光を照射する発光部と、この発光部と略同一平面上に配置した受光部とからなるセンサ部が設けられた基部と、前記センサ部を覆うように前記基部に取り付けられ、前記発光部からの光を内部で受ける一方、外光の侵入を遮るとともに、煙を進入させるための間隙を有する周壁部を備えたキャップ部とを備えたものがあり、前記キャップ部における周壁部の間隙から当該キャップ部内に煙が進入した際には、前記発光部からの光の前記煙の粒子による散乱光を前記受光部により受光することによって煙の発生を感知している。
【０００３】
かかる煙感知器のキャップ部の周壁は、一般に「ラビリンス壁」と呼ばれており、所定間隔をあけて周状に並設した複数の周壁構成体により構成されている。このラビリンスと呼ばれる周壁により、外部からの光の侵入を可及的に防止するとともに、煙の侵入を可能としている（例えば、特許文献１を参照。）。
【特許文献１】特開昭５５−４６２号公報
【発明の開示】
【発明が解決しようとする課題】
【０００４】
しかしながら、上記従来の煙感知器では、図４に示すように、ラビリンス壁201を構成する構成体203が、煙導入口206を除いて端縁205に沿って形成されており、ラビリンス壁201の内方に煙を効率的に誘導できるものとは言い難かった。
【０００５】
本発明は、斯かる事情に鑑みてなされたものであって、外部からの光の侵入を可及的に防止するとともに、煙をより効率的に侵入可能とすることのできる煙感知器を提供する。
【課題を解決するための手段】
【０００６】
上記従来の課題を解決するために、本発明に係る煙感知器では、外光の入射を防止すると共に外部からの煙の侵入を許容するラビリンス壁内に光学式の煙センサを配置した煙感知器において、前記ラビリンス壁は、複数の周壁構成体を所定間隔をあけて所定の円周内に円環状に並設して構成し、前記、各周壁構成体は、前記所定の円周に沿って配置した一辺と、その先端側が前記所定の円周内方に向かうべく配置した他辺とにより横断面視略山形とした第１遮蔽壁構成片と、当該第１遮蔽壁構成片の頂部内側から伸延する長辺形成片と、同長辺形成片の先端部を第１遮蔽壁構成片の一辺と同じ側に折曲して形成した折り返し部と、を備える第２遮蔽壁構成片とから形成し、隣接する前記第１遮蔽壁構成片間に煙導入口を形成した。
【０００７】
また、以下の点にも特徴を有するものである。
（１）前記他片を、隣接する一方の周壁構成体の長辺形成片の長手方向中途部に指向させると共に、前記折り返し部を、隣接する他方の周壁構成体の頂部に指向させたこと。
【０００８】
（２）前記煙センサは、水平方向に対して下方斜め方向に光を照射する発光部と、この発光部の照射方向とその受光方向が交差する受光部とを有し、前記ラビリンス壁は、前記煙センサを覆うように取り付けられたキャップ部の側周を形成すること。
【０００９】
（３）前記キャップ部を略円筒状に形成し、前記第２遮蔽壁構成片と、隣接する前記周壁構成体の第１遮蔽壁構成片とを、前記キャップ部の径方向に所定間隔をあけて重合するように配置して、隣り合う前記第１遮蔽壁構成片間から前記キャップ部内までの間に、横断面視略レ字状の第２遮蔽壁構成片の前記折り返し部により屈曲させられた屈曲煙案内路を形成したこと。
【発明の効果】
【００１０】
本発明によれば、外部からの光の侵入を可及的に防止するとともに、煙をより効率的に侵入可能とすることができる煙感知器を提供することができる。
【発明を実施するための最良の形態】
【００１１】
本発明は、外光の入射を防止すると共に外部からの煙の侵入を許容するラビリンス壁内に光学式の煙センサを配置した煙感知器において、前記ラビリンス壁は、複数の周壁構成体を所定間隔をあけて所定の円周内に円環状に並設して構成し、前記、各周壁構成体は、前記所定の円周に沿って配置した一辺と、その先端側が前記所定の円周内方に向かうべく配置した他辺とにより横断面視略山形とした第１遮蔽壁構成片と、当該第１遮蔽壁構成片の頂部内側から伸延する長辺形成片と、同長辺形成片の先端部を第１遮蔽壁構成片の一辺と同じ側に折曲して形成した折り返し部と、を備える第２遮蔽壁構成片とから形成し、隣接する前記第１遮蔽壁構成片間に煙導入口を形成した煙感知器を提供するものである。
【００１２】
本発明によれば、外部からの光の侵入を可及的に防止するとともに、第１遮蔽壁を煙導入口を除いてキャップ部の端縁部に沿って形成した前述の煙感知器に比して、煙をより効率的に侵入可能とした煙感知器を提供することができる。
【００１３】
一般に煙は、ラビリンス壁近傍において、外周を構成する壁の伸延方向に沿って流れる傾向がある。それゆえ、前記従来の構成体203では、煙の多くは同構成体203の外周に沿ってラビリンス壁201の周囲を流れるのみであった。
【００１４】
しかも、図４の拡大図にも示したように、従来の煙感知器における構成体203は、底辺部分を端縁205に沿って配設し、光がキャップ内部へ侵入するのを防ぐべく、隣接する底辺同士の間隔、すなわち、煙導入口206の開口幅を極力狭く形成しているため、光と同様煙もまたキャップ内部への侵入が阻まれていた。
【００１５】
また、煙の誘導効率を上げるべく煙導入口206を大きくすると、キャップ部内に外部の光が侵入し易くなり、煙の検出に不具合が生じてしまうおそれがあった。
これらのことから、従来の煙感知器では、外部からの光の侵入をできるだけ防止しつつ、煙をより効率的に侵入可能とすることができなかった。
【００１６】
一方、本発明によれば、所定の円周内方に向かうべく配置した他辺を備えることにより、この他片に煙を沿わせて、キャップ内部へ極めて効率的に侵入させることができるのである。
【００１７】
しかも、煙の誘導が効率化されたことにより、所定の円周に沿って配置した一辺を配設しても煙の侵入を可及的阻害することなく、キャップ内部へ光が侵入するのを極力防止することができる。
【００１８】
すなわち、第１遮蔽壁構成片を所定の円周に沿って配置した一辺と、所定の円周内方に向かうべく配置した他辺とで構成したことにより、隣接する前記第１遮蔽壁構成片間に形成された煙導入口を広くして煙をキャップ内部へ効率的に誘導しながらも、光の侵入を極力防止することができて、煙の検出を適正に行うことができる。
【００１９】
また、前記他片を、隣接する一方の周壁構成体の長辺形成片の長手方向中途部に指向させると共に、前記折り返し部を、隣接する他方の周壁構成体の頂部に指向させることにより、上述の効果は、より顕著に生起されることとなる。
【００２０】
また、前記煙センサは、水平方向に対して下方斜め方向に光を照射する発光部と、この発光部の照射方向とその受光方向が交差する受光部とを有し、前記ラビリンス壁は、前記煙センサを覆うように取り付けられたキャップ部の側周を形成することとしたため、煙等で劣化したラビリンス壁の交換を容易とすることができる。
【００２１】
さらに、前記キャップ部を略円筒状に形成し、前記第２遮蔽壁構成片と、隣接する前記周壁構成体の第１遮蔽壁構成片とを、前記キャップ部の径方向に所定間隔をあけて重合するように配置して、隣り合う前記第１遮蔽壁構成片間から前記キャップ部内までの間に、屈曲煙案内路を形成したことにより、光の侵入を効果的に防止しながらも、煙を効率よくキャップ部内方に導くことができて、煙検知の感度をさらに向上させることができる。
【００２２】
以下、本発明に係る煙感知器について、図面を参照しながら更に詳説する。
【００２３】
図１は、本実施形態に係る煙感知器Ｓの使用状態を示した説明図である。図１にも示すように、本実施形態に係る煙感知器Ｓは、屋内（本実施形態では居室１）の天井面Ｔに配設している。
【００２４】
この煙感知器Ｓは、屋内に漂う煙を感知して警報音を発したり、また図示しない火災報知機と連動させることにより、警報を発報して火災の迅速な消火に貢献するものである。
【００２５】
具体的に説明すると、例えば図１に示したように、居室１で火災が発生した際に、燃焼物２からは炎と共に煙３が発生する。
【００２６】
この煙３は、燃焼の熱により上方へ立ち上ることとなり、天井面Ｔに配設した煙感知器Ｓの内部に侵入する。
【００２７】
煙感知器Ｓの内部には、光学式の煙センサが配設されており、同煙センサが煙を感知して、警報を発報する。
【００２８】
次に、この煙感知器Ｓの構成について図２を用いながら説明する。
【００２９】
図２は、本実施形態に係る煙感知器Ｓの断面図を示している。図２にも示すように煙感知器Ｓは、先端を床面方向に向けた断面視略凸字状の形状を有しており、煙感知器Ｓを天井面Ｔに固定するための取付基部４と、同取付基部４に配設され煙センサＡを備える検煙部本体５と、前記煙センサＡを覆うように床面方向に向けて突設された検知空間形成部６とで構成している。
【００３０】
また、検煙部本体５は検煙部ケーシング７を備え、検知空間形成部６は保護カバー８を備えており、この検煙部ケーシング７と保護カバー８とで、煙感知器Ｓ略全体を保護する本体ケーシング９としている。
【００３１】
取付基部４は、床面方向に開口する断面視略コ字状としとしており、複数箇所に取付基部４（煙感知器Ｓ）を天井面Ｔに固定するための固定ネジ挿通孔50を穿設して、固定ネジ（図示せず）により煙感知器Ｓを天井面Ｔに取付可能に構成している。
【００３２】
また、取付基部４の略中央部には、ケーブル挿通孔51を穿設しており、天井面Ｔの裏側（天井裏）に敷設した電源ケーブル（図示せず）をケーブル挿通孔51を介して煙感知器Ｓ内に引き込んで、煙感知器Ｓに電力を供給可能としている。
【００３３】
また、このケーブル挿通孔51には、煙感知器Ｓが煙３を検知した際に発報した情報信号を、予め接続した火災報知機等（図示せず）に送信したり、火災報知機等から発せられた情報信号を煙感知器Ｓへ向けて送信するための通信ケーブル等（図示せず）も挿通される。
【００３４】
また、コ字状に折曲した取付基部４の縁部は、前述の検煙部ケーシング７を取付可能としている。
【００３５】
検煙部本体５は、前述の取付基部４に配設した検煙部基板52と、同検煙部基板52に配設した回路基板53と、同回路基板53上に形成した煙センサＡとを備えており、その周囲を検煙部ケーシング７で覆って構成している。
【００３６】
煙センサＡは、発光部20と受光部21とで構成している。
【００３７】
発光部20は、後述する検知空間70内に侵入した煙３により散乱光を得るための光源として機能するものであり、発光回路部87に備えられた発光体としての発光ダイオード55と、後述する光路形成プレート54の発光部開口57とで構成している。
【００３８】
そして、発光部20では、発光ダイオード55から放射された光が、図２において符号61の発光軸で示すように、水平方向に対して下方斜め方向に照射される。
【００３９】
なお、本実施形態では、発光部20の発光体として発光ダイオード55を使用しているが、長きに亘り比較的安定した光量を放射できるものであれば、特にこれに限定されるものではない。
【００４０】
また、発光体として用いる発光ダイオード55は、例えば、赤外線発光ダイオードとすることにより、一般家庭での火災で多く生じる白煙系の煙を感度良く捉えることができる。なお、本明細書において、「光」とは、可視光線の他に赤外線や紫外線をも含む概念である。
【００４１】
一方、受光部21は、後述する検知空間70内に浸入した煙３により散乱した散乱光を検知する受光素子としてのフォトダイオード56と、後述する光路形成プレート54の受光部開口58とで構成している。
【００４２】
そして、受光部21の受光方向は、図２において、符号62の受光軸で示すように、発光部20の照射方向と交差するよう構成している。
【００４３】
なお、本実施形態では、受光部21の受光素子としてフォトダイオード56を使用しているが、発光部20より放射された光で生じた散乱光を検知可能であれば特に限定されるものではなく、例えば、フォトトランジスタやフォトダーリントンを使用しても良い。
【００４４】
光路形成プレート54は、発光ダイオード55とフォトダイオード56とを覆うように回路基板53上に配設されたものであり、発光ダイオード55からの光の放射方向や、フォトダイオード56へ入射する光の入射方向を規制するためのものである。
【００４５】
具体的には、光路形成プレート54は、発光ダイオード55からの光の放射方向を規制する発光部開口57と、フォトダイオード56へ入射する光の入射方向を規制する受光部開口58とを備えている。
【００４６】
発光部開口57は、発光ダイオード55の放射面59から水平方向に対して下方斜め方向に穴を穿設して形成しており、発光ダイオード55から放射された光は、発光部開口57を通じて水平方向に対して下方斜め方向に放射されることとなる。
【００４７】
また、受光部開口58は、フォトダイオード56の受光面60から水平方向に対して下方斜め方向に穴を穿設して形成しており、検知空間70内の煙３にて散乱された散乱光のうち、この受光部開口58へ向かう光のみをフォトダイオード56へ導くようにしている。
【００４８】
そして、発光部開口57の照射方向を示す発光軸61と、受光部開口58の受光方向を示す受光軸62とは交差するようにしており、検知空間70内に煙３がない場合には、発光ダイオード55から放射される光がフォトダイオード56に直接入射することを防ぎつつ、検知空間70内に煙３がある場合には、煙３にて散乱された散乱光がフォトダイオード56に入射可能となるようにしている。
【００４９】
検知空間形成部６は、検知空間70を有するキャップ部30と、スピーカ63とを備えており、この両者を保護カバー８で覆って形成している。
【００５０】
キャップ部30は、図２及び図３（ａ）に示すように、中央部に円錐山形部65を有する略円盤状のキャップ基部64と、同キャップ基部64に周壁構成体10を所定間隔を開けながら円環状に配設して形成したラビリンス壁Ｂとを備えており、ラビリンス壁Ｂの内方を検知空間70としている。
【００５１】
換言すると、ラビリンス壁Ｂは、キャップ部30の側周、すなわち、周壁構成体10の外周壁を形成するようにしている。
【００５２】
そして、キャップ部30は、煙センサＡを覆うように取り付けられている。具体的には、煙センサＡの発光部開口57及び受光部開口58が、検知空間70に露出するようにキャップ部30を配設している。なお、このキャップ部30は、本願発明の特徴的な構成を備える部位であり、後に図３を用いながら詳説する。
【００５３】
キャップ部30の周方向外面には、メッシュ状の防虫網16を配設しており、キャップ内に虫や埃が侵入するのを防ぐようにしている。
【００５４】
スピーカ63は、保護カバー８によりキャップ部30の裏面66側に配設されている。
【００５５】
このスピーカ63は、図示しない配線によって回路基板53に接続されており、煙センサＡにより煙３が感知された場合や、予め接続した火災報知機等から発せられた情報信号を受信した場合には、煙を検出したことを報知する警告音や音声を出力する。
【００５６】
保護カバー８は、前述の検煙部ケーシング７と共に本体ケーシング９を構成するものであり、また、キャップ部30とスピーカ63とを一体的にまとめて検知空間形成部６を構成するものでもある。
【００５７】
また、この保護カバー８は、キャップ部30の側周（周壁構成体10の外周壁）と相対する位置を、周方向に断続的に切り欠いて煙流入口67を形成しており、煙感知器Ｓ周囲の煙３を、煙流入口67を介し、ラビリンス壁Ｂを通じて検知空間70内に誘導できるようにしている。
【００５８】
次に、キャップ部30の構成について図３を用いながら、より詳細に説明する。図３（ａ）はキャップ部30の平面図を示しており、図３（ｂ）は、平面視におけるラビリンス壁Ｂの一部を拡大した説明図である。
【００５９】
図３（ａ）にも示すように、キャップ部30は、前述のキャップ基部64と、同キャップ基部64のキャップ基部端縁68に沿って定義した仮想の所定円周Ｃ内に円環状に周壁構成体10を並設して構成したラビリンス壁Ｂとで構成している。
【００６０】
また、キャップ基部64は、キャップ基部端縁68に沿ってドーナツ状に形成した平坦部69と、キャップ基部64の略中央部分、すなわち、平坦部69内方に形成した円錐山形部65を備えている。
【００６１】
円錐山形部65は、底面を検知空間70側に円錐状に突出させて形成しており、発光ダイオード55から出射する光の拡散を抑制する機能を果たすものである。
【００６２】
なお、図３（ａ）において符号72は、キャップ部30を光路形成プレート54に固定するための係止凸部である。
【００６３】
一方、ラビリンス壁Ｂは、水平方向に平坦な平坦部69上に周壁構成体10を並設して構成している。
【００６４】
周壁構成体10は、図３（ｂ）にも示すように、第１遮蔽壁構成片11と、同第１遮蔽壁構成片11に連設した第２遮蔽壁構成片12とで構成している。
【００６５】
そして、この周壁構成体10は、以下に説明する所定の位置及び角度にて複数並設し、ラビリンス壁Ｂを構成することにより、煙３を効率的にラビリンス壁Ｂ内や検知空間70に誘導すると共に、検知空間70内に煙感知器Ｓの外の光（以下、単に外光という）が侵入するのを可及的防止するという役割を担っている。
【００６６】
第１遮蔽壁構成片11は、所定円周Ｃにの近傍に配設された、平面視略く字状（略逆く字状）の形状を有する部材である。
【００６７】
この第１遮蔽壁構成片11は、所定円周Ｃに沿って配置した周壁片11ａを一辺とし、所定円周Ｃの内方に向かうべく配置した内方誘導片11ｂを他辺として、２つの辺で構成しており、周壁片11ａと内方誘導片11ｂとの連結部で、所定円周Ｃの外方へ向かって屈曲させた部位近傍は、第１遮蔽壁構成片11の頂部71としている。
【００６８】
周壁片11ａは、キャップ部30周囲の煙を所定円周Ｃに沿って流す役割を有するとともに、後述する内方誘導片11ｂによりラビリンス壁Ｂ内に誘導された煙３が再び外方へ戻るのを防止する役割を果たすものであり、同周壁片11ａや頂部71近傍の所定円周Ｃ上における接線と略平行となるように配設している。
【００６９】
内方誘導片11ｂは、周壁片11ａ（所定円周Ｃ）に沿ってラビリンス壁Ｂ外周を流れる煙を、ラビリンス壁Ｂ内方に誘導する役割を有するものである。
【００７０】
この内方誘導片11ｂは、前述の周壁片11ａの仮想延長線ｎに対し、角度ｉだけ所定円周Ｃの内方へ向けて傾けて配設している。
【００７１】
この角度ｉは、煙感知器Ｓの使用環境や設計等に応じて適宜設定することができるが、例えば40〜50度、好ましくは43〜47度とすることができる。
【００７２】
角度ｉを40〜50度、好ましくは45度近傍の角度（例えば、43〜47度）とすることにより、ラビリンス壁Ｂ内に煙３を効率的に誘導することができ、しかも、外光が検知空間70内に侵入するのを可及的防止することができる。特に、43〜47度の範囲とすることで、設計精度の許容範囲を広げることができて、製造を容易にすることができる。
【００７３】
第２遮蔽壁構成片12は、第１遮蔽壁構成片11の頂部71の内側（劣角側）から伸延する横断面視略レ字状の形状を有する部材である。
【００７４】
具体的には、第２遮蔽壁構成片12は、第１遮蔽壁構成片11の頂部71劣角側を基端として所定円周Ｃの内方へ伸延する長辺形成片12ｂと、同長辺形成片12ｂの先端部を周壁片11ａ側へ角度ｐにて鋭角に折曲させて形成した折り返し部12ａとで構成している。
【００７５】
長辺形成片12ｂは、第１遮蔽壁構成片11の頂部71劣角側から、周壁片11ａに対して角度ｋ、内方誘導片11ｂに対して角度ｊとなるように伸延させている。
【００７６】
ここで、角度ｋは、40〜50度、好ましくは43〜47度であり、角度ｊは、85〜95度、好ましくは88〜92度である。
【００７７】
角度ｋを40〜50度、好ましくは45度近傍の角度（例えば、43〜47度）とし、角度ｊを85〜95度、好ましくは90度近傍の角度（例えば、88〜92度）とすることにより、ラビリンス壁Ｂ内に煙３を効率的に誘導することができ、しかも、外光が検知空間70内に侵入するのを可及的防止することができる。特に、角度ｋを43〜47度の範囲としたり、角度ｊを88〜92度の範囲とすることで、設計精度の許容範囲を広げることができて、製造を容易にすることができる。
【００７８】
折り返し部12ａは、後述する屈曲煙案内路40を所定の円周Ｃの外方へ屈曲させて検知空間70内に外光が侵入するのを防止すると共に、同折り返し部12ａに到達した煙３を、並設した他の周壁構成体10の内方誘導片11ｂの内側面（角度ｊを形成する面）に向けて送り出す役割を有する。
【００７９】
この折り返し部12ａと長辺形成片12ｂとが成す角度ｐは65〜75度、好ましくは68〜72度である。
【００８０】
角度ｐを65〜75度、好ましくは70度近傍の角度（例えば、68〜72度）とすることにより、煙３を並設した他の周壁構成体10の内方誘導片11ｂの内側面へ円滑に送り出すことができ、しかも、屈曲煙案内路40において狭隘部が形成されるのを可及的防止することができる。特に、68〜72度の範囲とすることで、設計精度の許容範囲を広げることができて、製造を容易にすることができる。
【００８１】
また、折り返し部12ａの先端部分には、隣接する周壁構成体10の長辺形成片12ｂに対して平行に切り欠いた切欠部14が形成されている。
【００８２】
このように切欠部14を形成することにより、並設した他の周壁構成体10の内方誘導片11ｂの内側面へ折り返し部12ａによって送り出された煙３が、長辺形成片12ｂに沿って検知空間70内に浸入する際に、折り返し部12ａで再び流れが阻害されてしまうのを防止することができる。
【００８３】
なお、周壁構成体10は、図３（ａ）及び図３（ｂ）を用いて説明してきた上記構成を有するものであるが、この周壁構成体10は掌対象の形状としても良いのは言うまでもない。
【００８４】
そして、ラビリンス壁Ｂは、このような周壁構成体10を複数所定の円周Ｃ内に円環状に並設して構成している。
【００８５】
この各周壁構成体10の配置レイアウトは、図３（ｂ）に示すように、内方誘導片11ｂが、並設した他の周壁構成体10の長辺形成片12ｂの長手方向の中途部（例えば、中間点ｍ付近）へ向くようにし、また、折り返し部12ａは角度ｊを有する角へ向くように配置している。
【００８６】
また、図３（ａ）に示すように、並設した第１遮蔽壁構成片11間に煙導入口13を形成すると共に、隣り合う前記第１遮蔽壁構成片11間から前記キャップ部30内までの間に、屈曲煙案内路40を形成し、キャップ部30外周の煙３が検知空間70に流入できるよう構成している。
【００８７】
なお、周壁片11ａ、内方誘導片11ｂ、折り返し部12ａの長さは、煙感知器Ｓに光が照射された場合に、煙導入口13から検知空間70へ向けて直接的に外光が侵入せず、しかも、煙３の円滑な流動を可及的妨げない長さとしている。
【００８８】
このように各周壁構成体10を配置することにより、外部からの光の侵入を可及的に防止するとともに、煙をより効率的に侵入可能とすることができる。
【００８９】
上述してきたように、本実施形態に係る煙感知器Ｓによれば、ラビリンス壁（例えば、ラビリンス壁Ｂ）は、複数の周壁構成体（例えば、周壁構成体10）を所定間隔をあけて所定の円周（例えば、所定の円周Ｃ）内に円環状に並設して構成し、前記、各周壁構成体は、前記所定の円周に沿って配置した一辺（例えば、周壁片11ａ）と、その先端側が前記所定の円周内方に向かうべく配置した他辺（例えば、内方誘導片11ｂ）とにより横断面視略山形とした第１遮蔽壁構成片（例えば、第１遮蔽壁構成片11）と、当該第１遮蔽壁構成片の頂部（例えば、頂部71）内側から伸延する長辺形成片（例えば、長辺形成片12ｂ）と、同長辺形成片の先端部を第１遮蔽壁構成片の一辺と同じ側に折曲して形成した折り返し部（例えば、折り返し部12ａ）と、を備える第２遮蔽壁構成片（例えば、第２遮蔽壁構成片12）とから形成し、隣接する前記第１遮蔽壁構成片間に煙導入口（例えば、煙導入口13）を形成したため、外部からの光の侵入を可及的に防止するとともに、煙をより効率的に侵入可能とすることができる煙感知器を提供することができる。
【００９０】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることはもちろんである。
【００９１】
例えば、図３に示したキャップ部30では、キャップ基部端縁68の平面視における形状を円形としたが、例えば、矩形や多角形としても良い。
【００９２】
ただし、この場合であっても、ラビリンス壁は、複数の周壁構成体を所定間隔をあけて所定の円周内に円環状に並設して構成するのが望ましい。
【図面の簡単な説明】
【００９３】
【図１】本実施形態に係る煙感知器Ｓの使用状態を示した説明図である。
【図２】本実施形態に係る煙感知器Ｓの断面図である。
【図３】本実施形態に係る煙感知器Ｓのキャップ部の平面図、及び、平面視におけるラビリンス壁の一部拡大図である。
【図４】従来技術の説明図である。
【符号の説明】
【００９４】
３  煙
９  本体ケーシング
10  周壁構成体
11  第１遮蔽壁構成片
11ａ  周壁片
11ｂ  内方誘導片
12  第２遮蔽壁構成片
12ａ  折り返し部
12ｂ  長辺形成片
13  煙導入口
20  発光部
21  受光部
30  キャップ部
40  屈曲煙案内路
67  煙流入口
70  検知空間
71  頂部
Ａ  煙センサ
Ｂ  ラビリンス壁
Ｃ  所定円周
Ｓ  煙感知器
【図１】
2010044535.tif 000003
【図２】
2010044535.tif 000004
【図３】
2010044535.tif 000005
【図４】
2010044535.tif 000006